(57)【要約】【課題】構造および作動が改良された釘抜き機を提供する。【解決手段】  釘Ｒは筒部およびシャフトを有する。釘抜き機は、銃型ユニット１０、引っ張り機構３０、駆動機構５０および連動機構７０を備える。銃型ユニット１０は軸筒室、移動制御ユニット室、連動機構制御ユニットおよび釘Ｒの装着に用いる釘室を有する。引っ張り機構３０は軸筒、受動部およびクリップユニットを有し、軸筒は銃型ユニットの軸筒室に沿って弾性的圧迫を受けて軸方向に移動し、クリップユニットは釘のシャフトを挟むことに用いられる。駆動機構５０は移動制御ユニットを有し、移動制御ユニットは銃型ユニット１０の移動制御ユニット室によって制限を受けながら移動することが可能である。連動機構７０は、銃型ユニット制限部、駆動部および駆動機構接続ユニットを有する。【選択図】図１
0003161625.tif 000002
【実用新案登録請求の範囲】
【請求項１】
筒部およびシャフトを有する釘を抜くことに用いられる釘抜き機であって、
軸筒室、移動制御ユニット室、連動機構制御ユニットおよび前記釘の装着に用いる釘室を有する銃型ユニットと、
前記銃型ユニットの前記軸筒室に沿って弾性的圧迫を受けて軸方向に移動する軸筒と、受動部と、前記釘の前記シャフトを挟むことに用いられるクリップユニットとを有する引っ張り機構と、
前記銃型ユニットの前記移動制御ユニット室によって制限を受けながら移動する移動制御ユニットを有する駆動機構と、
前記銃型ユニットの前記連動機構制御ユニットとの組み合わせによってスライドするように装着される銃型ユニット制御部と、前記引っ張り機構の前記受動部を連動させる駆動部と、前記駆動機構の前記移動制御ユニットによって連動する駆動機構接続ユニットと、を有することで前記銃型ユニットに対しスイングし、前記引っ張り機構を連動かつ移動させることが可能である連動機構と、
を備えることを特徴とする釘抜き機。
【請求項２】
前記銃型ユニットの前記連動機構制御ユニットは、桿状を呈し、前記連動機構の前記銃型ユニット制御部は長孔を呈し、前記銃型ユニットの前記連動機構制御ユニットに可動するように嵌めることを特徴とする請求項１に記載の釘抜き機。
【請求項３】
前記連動機構の前記銃型ユニット制御部は、円弧形の長孔を呈することを特徴とする請求項２に記載の釘抜き機。
【請求項４】
前記引っ張り機構は、後座を有し、前記後座は前記シャフトの伝送に用いるため前記軸筒に接続されることを特徴とする請求項１に記載の釘抜き機。
【請求項５】
前記銃型ユニットの前記連動機構制御ユニットの中心と前記連動機構の前記駆動機構接続ユニットの中心との間は第一力点アームの長さを有し、前記銃型ユニットの前記連動機構制御ユニットの中心と前記連動機構の前記駆動部の中心との間は第二力点アームの長さを有し、釘抜きの過程において前記第一力点アームの長さが漸増するのに対し、前記第二力点アームの長さが漸減することを特徴とする請求項１に記載の釘抜き機。
【請求項６】
前記駆動機構は、ボルトを有し、前記ボルトは前記移動制御ユニット上を回転し、前記移動制御ユニットを移動させることを特徴とする請求項１に記載の釘抜き機。
【請求項７】
前記駆動機構の前記移動制御ユニットは、運動方向および径路が直線または等径の円弧を呈することを特徴とする請求項１に記載の釘抜き機。
【請求項８】
前記連動機構は、前記銃型ユニットに対しスイングすると同時に移動することを特徴とする請求項１に記載の釘抜き機。
【請求項９】
抜いた際折損した前記シャフトの回収に用いるため前記引っ張り機構の後方に装着される釘回収筒をさらに備えることを特徴とする請求項１に記載の釘抜き機。
【考案の詳細な説明】
【技術分野】
【０００１】
本考案は、釘抜き装置に関し、構造および作動が改良された釘抜き機に関するものである。
【背景技術】
【０００２】
従来の釘抜き機は、複雑な連動機構に頼らず直接駆動を生じさせるために駆動装置を銃型ユニットの後端に配置し、駆動装置の駆動たとえば回転ユニット、釘抜きおよび軸筒を同一軸線上に位置させる。
【０００３】
上述した釘抜き機は、全体の軸方向の長さが非常に大きいため、空間が比較的に制限された場所では適用できない。また抜いた際折損した釘を回収するのには、釘を回収する構造を設計する必要があるため、構造設計を複雑化させる可能性があるだけでなく、駆動装置と重なるかそれに干渉するという事態を招きやすい。
従って、上述した構造は改善の余地がある。
【考案の概要】
【考案が解決しようとする課題】
【０００４】
本考案の主な目的は、構造および作動が改良された釘抜き機を提供することにある。
【課題を解決するための手段】
【０００５】
上述の目的を達成するために、本考案による釘抜き機は、釘を抜くことに用いられる。釘は筒部およびシャフトを有する。釘抜き機は、銃型ユニット、引っ張り機構、駆動機構および連動機構を備える。銃型ユニットは軸筒室、移動制御ユニット室、連動機構制御ユニットおよび釘の装着に用いる釘室を有する。引っ張り機構は軸筒、受動部およびクリップユニットを有し、軸筒は銃型ユニットの軸筒室に沿って弾性的圧迫を受けて軸方向に移動し、クリップユニットは釘のシャフトを挟むことに用いられる。駆動機構は移動制御ユニットを有し、移動制御ユニットは銃型ユニットの移動制御ユニット室によって制限を受けながら移動することが可能である。連動機構は、銃型ユニット制限部、駆動部および駆動機構接続ユニットを有し、銃型ユニット制御部は銃型ユニットの連動機構制御ユニットとの組み合わせによってスライドするように装着され、駆動部は引っ張り機構の受動部を連動させ、駆動機構接続ユニットは駆動機構の移動制御ユニットによって連動するため、連動機構は銃型ユニットに対しスイングし、引っ張り機構を連動・移動させることが可能である。
よって、駆動装置は釘抜き機の空間配置をより良いものにするために軸筒の軸方向に対し所定の角度を呈するように装着される、例えば銃型ユニットの握り内に装着される。本考案は、銃型ユニットの連動機構制御ユニットの作動と連動機構の銃型ユニット制御部の作動との組み合わせによって出力を漸増させ、比較的良好な連動効果を果たすことが可能である。
【０００６】
本考案の別の好ましい技術手段は次のとおりである。
銃型ユニットの連動機構制御ユニットは桿状を呈し、連動機構の銃型ユニット制御部は長孔を呈し、銃型ユニットの連動機構制御ユニットに可動するように嵌める。
【０００７】
連動機構の銃型ユニット制御部は円弧形の長孔を呈する。
引っ張り機構は、後座を有し、後座はシャフトの伝送に用いるため軸筒に接続される。
【０００８】
銃型ユニットの連動機構制御ユニットの中心と連動機構の駆動機構接続ユニットの中心との間は第一力点アームの長さを有し、銃型ユニットの連動機構制御ユニットの中心と連動機構の駆動部の中心との間は第二力点アームの長さを有する。釘抜きの過程において第一力点アームの長さが漸増するのに対し、第二力点アームの長さが漸減する。
【０００９】
駆動機構は、ボルトを有し、ボルトは移動制御ユニット上を回転し、移動制御ユニットを移動させる。
駆動機構の移動制御ユニットは、運動方向および径路が直線または等径の円弧を呈する。
【００１０】
連動機構は、銃型ユニットに対しスイングすると同時に移動する。
釘抜き機は、さらに釘回収筒を備える。釘回収筒は、抜いた際折損したシャフトの回収に用いるため、引っ張り機構の後方に装着される。
【図面の簡単な説明】
【００１１】
【図１】本考案の一実施形態による釘抜き機を示す斜視図である。
【図２】本考案の一実施形態による釘抜き機を示す分解斜視図である。
【図３】本考案の一実施形態による釘抜き機の断面を示す模式図である。
【図４】本考案の一実施形態による釘抜き機の断面を示す模式図である。
【図５】本考案の一実施形態による釘抜き機の断面を示す模式図である。
【考案を実施するための形態】
【００１２】
以下、本考案による釘抜き機を図面に基づいて説明する。
（一実施形態）
図１から図５に示すように、本考案の一実施形態による釘抜き機は、釘Ｒを抜くことに用いられる。釘Ｒは筒部Ｒ１およびシャフトＲ３を有する。釘抜き機は、銃型ユニット１０、引っ張り機構３０、駆動機構５０および連動機構７０を備える。
【００１３】
銃型ユニット１０は、軸筒室１３、移動制御ユニット室１５、連動機構制御ユニット１７および釘Ｒの装着に用いる釘室１９を有する。銃型ユニット１０は銃身１１、および、所定の角度で銃身１１に設けられた握り１２から構成される。軸筒室１３は銃身１１に位置付けられる。移動制御ユニット室１５は握り１２に位置付けられる。
【００１４】
引っ張り機構３０は、軸筒３１、二つの受動部３１３およびクリップユニット３２を有する。軸筒３１は銃型ユニット１０の軸筒室１３に沿って弾性的圧迫を受けて軸方向に移動する。クリップユニット３２は釘Ｒを挟むことに用いられ、かつ圧迫部３３、クリップ３４、プッシュ部３５およびスプリング３６を有する。クリップユニット３２は、従来の技術または新しい技術を採用することが可能であるため、詳細な説明を省略する。
【００１５】
駆動機構５０は、移動制御ユニット５１および圧縮スプリング５３を有する。移動制御ユニット５１は銃型ユニット１０の移動制御ユニット室１５によって制限を受けながら移動することが可能である。圧縮スプリング５３は、跳ね上がって移動制御ユニット５１に突き当たることが可能である。
【００１６】
連動機構７０は、銃型ユニット制限部７１、二つの駆動部７３および駆動機構接続ユニット７５を有する。銃型ユニット制御部７１は銃型ユニット１０の連動機構制御ユニット１７との組み合わせによってスライドするように装着され、二つの駆動部７３は引っ張り機構３０の受動部３１３を連動させ、駆動機構接続ユニット７５は駆動機構５０の移動制御ユニット５１によって連動するため、連動機構７０は銃型ユニット１０に対しスイングし、引っ張り機構３０を連動かつ移動させることが可能である。
【００１７】
以下、本実施形態における部品を詳細に説明する。
銃型ユニット１０の連動機構制御ユニット１７は桿状を呈し、連動機構７０の銃型ユニット制御部７１は長孔を呈し、銃型ユニット１０の連動機構制御ユニット７１に可動するように嵌める。
【００１８】
連動機構７０の銃型ユニット制御部７１は、円弧形の長孔を呈する。
引っ張り機構３０は、後座３９を有する。後座３９はシャフトＲ３の伝送に用いるため軸筒３１に接続される。
【００１９】
銃型ユニット１０の連動機構制御ユニット１７の中心と連動機構７０の駆動機構接続ユニット７５の中心との間は第一力点アームの長さＬ１を有し、銃型ユニット１０の連動機構制御ユニット１７の中心と連動機構７０の駆動部７３の中心との間は第二力点アームの長さＬ２を有する。釘抜きの過程において第一力点アームの長さＬ１が漸増するのに対し、第二力点アームの長さＬ２が漸減する。
【００２０】
駆動機構５０は、さらにボルト５５を有する。ボルト５５は移動制御ユニット５１上を回転し、移動制御ユニット５１を移動させる。ボルト５５は、移動制御ユニット５１のねじ山（図中未表示）に対応するねじ山５７を有する。
【００２１】
連動機構７０は、銃型ユニット１０に対しスイングすると同時に移動する。
釘抜き機は、さらに釘回収筒９０を備える。釘回収筒９０は、抜いた際折損したシャフトＲ３の回収に用いるため、引っ張り機構３０の後方に装着される。引っ張り機構３０の軸筒３１、プッシュ部３５および後座３９は、抜いた際折損したシャフトＲ３を通過させるための孔を有する。
【００２２】
銃型ユニット１０の軸筒室１３は、チャンバーを呈する。
移動制御ユニット室１５は、断面が六角形のチャンバーを呈する。移動制御ユニット５１は移動制御ユニット室１５に可動するように差し込まれるため、外周の断面が六角形を呈する。
【００２３】
本実施形態における部品の作動過程についての説明は次のとおりである。図３および図４に示すように、釘Ｒは銃型ユニット１０の釘室１９に装着される。このとき引っ張り機構３０は静止状態を呈し、駆動機構５０の移動制御ユニット５１は上方に位置し、連動機構７０の銃型ユニット制御部７１の長孔は後側に位置し、引っ張り機構３０の軸筒３１の受動部３１３は前側に位置する。
【００２４】
釘抜き作業を行う際、駆動機構５０のボルト５５は回転装置（図中未表示）に伴って連動する。移動制御ユニット５１は六角形を呈し、銃型ユニット１０の移動制御ユニット室１５をスライドするように装着される。ボルト５５が回転し、移動制御ユニット５１を直線に移動させる際、連動機構７０は駆動機構接続ユニット７５および銃型ユニット制御部７１によって移動およびスイングを行うことが可能である。かつ第一力点アームの長さＬ１の漸増に伴って第二力点アームの長さＬ２が漸減することによって材料の応力を確実に克服することが可能であるため、図５に示すように、駆動部７３は引っ張り機構３０を連動かつ移動させ、シャフトＲ３を折損させることが可能となる。従って、作業の際比較的良好な手応えを具える。
【００２５】
駆動機構５０の移動制御ユニット５１は、運動方向および径路が直線または等径の円弧を呈しても、移動・制御作用を果たすことが可能である。
【００２６】
上述した実施形態および説明をまとめてみると、本考案による釘抜き機において、駆動装置は釘抜き機の空間配置をより良いものにするために軸筒の軸方向に対し所定の角度を呈するように装着される、例えば銃型ユニットの握り内に装着される。本考案は、銃型ユニットの連動機構制御ユニットの作動と連動機構の銃型ユニット制御部の作動との組み合わせによって出力を漸増させ、比較的良好な連動効果を果たすことが可能である。
【符号の説明】
【００２７】
１０  ・・・銃型ユニット、  
１１  ・・・銃身、  
１２  ・・・握り、  
１３  ・・・軸筒室、  
１５  ・・・移動制御ユニット室、  
１７  ・・・連動機構制御ユニット、  
１９  ・・・釘室、  
３０  ・・・引っ張り機構、  
３１  ・・・軸筒、  
３１３・・・受動部、  
３２  ・・・クリップユニット、  
３３  ・・・圧迫部、  
３４  ・・・クリップ、  
３５  ・・・プッシュ部、  
３６  ・・・スプリング、  
３９  ・・・後座、  
５０  ・・・駆動機構、  
５１  ・・・移動制御ユニット、  
５３  ・・・圧縮スプリング、  
５５  ・・・ボルト、  
５７  ・・・ねじ山、  
７０  ・・・連動機構、  
７１  ・・・銃型ユニット制御部、  
７３  ・・・駆動部、  
７５  ・・・駆動機構接続ユニット、  
９０  ・・・釘回収筒、  
Ｒ    ・・・釘、  
Ｒ１  ・・・筒部、  
Ｒ３  ・・・シャフト。
【図１】
0003161625.tif 000003
【図２】
0003161625.tif 000004
【図３】
0003161625.tif 000005
【図４】
0003161625.tif 000006
【図５】
0003161625.tif 000007